(57)【要約】  画素の長手方向が走査線の延在方向、短手方向がデータ線の延在方向となる画素を有し、赤、緑、青の３つの画素からなる絵素における３つの画素がそれぞれ異なる３本の走査線で駆動される、トリプルゲート構造のＦＦＳ方式の液晶表示装置において、製造コストの上昇を抑えつつ、透過率の低下防止および視野角特性の向上を図ることを目的とする。  トリプルゲート構造を有するＦＦＳ型液晶表示装置において、ＴＦＴアレイ基板（１００）と対向基板（２００）との間に挟持される液晶（１５０）はポジ型のものを使用する。各画素（１０）は、水平方向に長い横長形状であり、画素電極（１２）または共通電極（１３）に設けるスリットの延在方向を水平方向にする。さらに、液晶表示パネルにおけるバックライト側、すなわちＴＦＴアレイ基板（１００）側の表面に、２軸位相差フィルム（５０３）が設けられる。
2017163718.tif 000002
【特許請求の範囲】
【請求項１】
水平方向に延在する複数の走査線（１０１）および垂直方向に延在する複数のデータ線（１０２）を有するＴＦＴアレイ基板（１００）と、  前記ＴＦＴアレイ基板（１００）に対向配置された対向基板（２００）と、  前記ＴＦＴアレイ基板（１００）と前記対向基板（２００）との間に挟持されたポジ型の液晶（１５０）と、  隣り合う前記走査線（１０１）と隣り合う前記データ線（１０２）とに囲まれた領域に形成された画素（１０）と、を含む液晶表示パネルを備え、  前記画素（１０）は、前記ＴＦＴアレイ基板（１００）に形成された平板状の第１電極、および、前記第１電極の上に絶縁膜を介して設けられ水平方向に延びるスリットを有する第２電極とを含み、  前記第１電極および前記第２電極の片方は画素電極（１２）、もう片方は共通電極（１３）であり、  色の異なる複数の前記画素（１０）で構成される画像の最小単位である絵素（３０）において、各画素（１０）はそれぞれ異なる前記走査線（１０１）で駆動され、各画素（１０）の領域は長手方向が水平方向、短手方向が垂直方向となった横長形状であり、  前記液晶表示パネルにおけるＴＦＴアレイ基板（１００）側の表面に、位相差フィルム（５０３）が設けられている、液晶表示装置。
【請求項２】
前記対向基板（２００）は、前記画素（１０）の間の領域を覆うブラックマトリクス（２０１）を有しており、  前記第２電極は、共通電極（１３）であり、前記走査線（１０１）の上方にまで延在し、表面に前記走査線（１０１）の厚さに起因する段差部（１３ａ）を有しており、  前記ブラックマトリクス（２０１）は、前記走査線（１０１）および前記第２電極の段差部（１３ａ）を覆い、且つ、前記第２電極の前記スリットの端部を覆わない、請求項１記載の液晶表示装置。
【請求項３】
前記第２電極の前記スリットは、当該第２電極における左側部分と右側部分とで異なる方向に延びている、請求項１または請求項２記載の液晶表示装置。
【請求項４】
前記第２電極の前記スリットが延びる方向は、当該第２電極における左側部分と右側部分とで線対称である、請求項３記載の液晶表示装置。
【請求項５】
前記第１電極および前記第２電極のうちの少なくとも片方は、前記スリットが延びる方向に対応するように、左側部分と右側部分との境界で屈曲した形状となっている、請求項３または請求項４に記載の液晶表示装置。
【請求項６】
前記走査線（１０１）は、当該走査線（１０１）に隣接する画素（１０）における前記スリットが延びる方向に対応するように、屈曲しながら水平方向に延びている請求項３から請求項５のいずれか一項に記載の液晶表示装置。
【請求項７】
前記液晶表示パネルにおける前記ＴＦＴアレイ基板（１００）側の表面に設けられた第１の偏光板（５０１）と、  前記液晶表示パネルにおける前記対向基板（２００）側の表面に設けられた第２の偏光板（５０２）と、をさらに備え、  前記位相差フィルム（５０３）は、前記ＴＦＴアレイ基板（１００）と前記第１の偏光板（５０１）との間に介在しており、  前記液晶（１５０）の配向方向は水平方向に設定されており、  前記第１の偏光板（５０１）の吸収軸の方向は垂直方向に設定されており、  前記位相差フィルム（５０３）は、遅相軸の方向は水平方向に設定されており、  前記第２の偏光板（５０２）の吸収軸の方向は水平方向に設定されている、請求項１から請求項６のいずれか一項に記載の液晶表示装置。
【請求項８】
前記液晶表示パネルにおける前記対向基板（２００）側の表面に画像を表示するための表示画面が設けられ、  前記液晶表示パネルにおける前記ＴＦＴアレイ基板（１００）側の表面に対向して、前記位相差フィルム（５０３）を介してバックライトが設けられている、請求項１から請求項７のいずれか一項に記載の液晶表示装置。
【発明の詳細な説明】
【技術分野】
【０００１】  本発明は、液晶表示装置に関するものである。
【背景技術】
【０００２】  画素の形状を、長手方向が走査線（ゲート線）の延在方向、短手方向がデータ線（ソース線）の延在方向となる横長形状にし、赤（Ｒ）、緑（Ｇ）、青（Ｇ）の３つの画素からなる絵素（表示画像の最小単位）において、それら３つの画素をそれぞれ異なる３本の走査線で駆動するように構成した液晶表示装置が知られている（例えば、下記の特許文献１）。そのような画素の駆動方法は「トリプルゲート方式」と呼ばれ、上記の構造は「トリプルゲート構造」と呼ばれる。【０００３】  トリプルゲート構造の液晶表示装置では、データ線の本数、およびソース線を駆動するＩＣ（Integrated Circuit）の数を減らすことによる低コスト化が可能である。特に、下記の特許文献２では、トリプルゲート構造のＴＮ（Twisted Nematic）型液晶表示装置において、高開口率化のための技術が開示されている。【０００４】  一方、本発明者は、広視野角および高開口率を両立できるＦＦＳ（fringe field switching）型液晶表示装置において、開口率の更なる向上を実現するために最適化された光学設計を提案している（下記の特許文献３）。【０００５】  また、特許文献４には、縦長形状（長手方向がデータ線の延在方向、短手方向が走査線の延在方向）の画素を有するＦＦＳ型液晶表示装置において、データ線を共通電極で覆い、データ線からの電界を遮蔽することによって高開口率化を図ることが提案されている。
【先行技術文献】
【特許文献】
【０００６】
【特許文献１】特開２００７−１４８２４０号公報
【特許文献２】国際公開第２００９／１１０１４７号
【特許文献３】特開２０１４−１１５５６３号公報
【特許文献４】特開２００８−１９１６６９号公報
【発明の概要】
【発明が解決しようとする課題】
【０００７】  特許文献１，２等は、トリプルゲート構造のＴＮ型液晶表示装置を開示しているが、ＦＦＳ型液晶表示装置に適した光学設計を提案するものではない。一方、特許文献３は、一般的な縦長形状の画素を想定したものであり、トリプルゲート構造の液晶表示装置に適した光学設計を提案するものではない。つまり、特許文献１〜３には、トリプルゲート構造のＦＦＳ型液晶表示装置に適した光学設計は提案されていなかった。【０００８】  ＦＦＳ型液晶表示装置において広視野角を得るには、ポジ型の液晶を用いた上で、光学フィルムの吸収軸や液晶の配向方向などの光学設計を適切に行う必要がある。また、ポジ型の液晶を用いるためには、共通電極または画素電極に設けるスリットを水平方向（走査線の延在方向）に延在させる必要がある。特許文献４のように画素が縦長形状である場合に、スリットを水平方向に延在させると、電極端部に発生するディスクリネーションにより、透過率が低下するという問題が生じる。【０００９】  また、ディスクリネーションによる透過率低下を防ぐには、特許文献３のように、データ線上に厚い有機樹脂膜（平坦化膜）を設け、その上にデータ線を覆う共通電極を設けることが有効である。しかし、有機樹脂膜を設けることで、製造工程数の増加および製造コストの上昇の問題が生じる。【００１０】  本発明は以上のような課題を解決するためになされたものであり、トリプルゲート構造のＦＦＳ方式の液晶表示装置において、コストの上昇を抑えつつ、透過率の低下防止および視野角特性の向上を図ることを目的とする。
【課題を解決するための手段】
【００１１】  本発明に係る液晶表示装置は、水平方向に延在する複数の走査線および垂直方向に延在する複数のデータ線を有するＴＦＴアレイ基板と、前記ＴＦＴアレイ基板に対向配置された対向基板と、前記ＴＦＴアレイ基板と前記対向基板との間に挟持されたポジ型の液晶と、隣り合う前記走査線と隣り合う前記データ線とに囲まれた領域に形成された画素と、を含む液晶表示パネルを備え、前記画素は、前記ＴＦＴアレイ基板に形成された平板状の第１電極、および、前記第１電極の上に絶縁膜を介して設けられ水平方向に延びるスリットを有する第２電極とを含み、前記第１電極および前記第２電極の片方は画素電極、もう片方は共通電極であり、色の異なる複数の前記画素で構成される画像の最小単位である絵素において、各画素はそれぞれ異なる前記走査線で駆動され、各画素の領域は長手方向が水平方向、短手方向が垂直方向となった横長形状であり、前記液晶表示パネルにおけるＴＦＴアレイ基板側の表面に、位相差フィルムが設けられている。
【発明の効果】
【００１２】  本発明によれば、トリプルゲート構造のＦＦＳ方式の液晶表示装置において、コストの上昇を抑えつつ、透過率および視野角特性を更に向上させることができる。
【図面の簡単な説明】
【００１３】
【図１】本発明の実施の形態に係るＴＦＴアレイ基板の平面図である。
【図２】本発明の実施の形態に係るＴＦＴアレイ基板における絵素の構成を示す図である。
【図３】本発明の実施の形態に係るＴＦＴアレイ基板における画素の構成を示す平面図である。
【図４】本発明の実施の形態に係るＴＦＴアレイ基板における画素の構成を示す断面図である。
【図５】本発明の実施の形態に係るＴＦＴアレイ基板における画素の構成を示す断面図である。
【図６】本発明の実施の形態に係る液晶表示パネルにおける画素の構成を示す断面図である。
【図７】本発明の実施の形態に係る液晶表示装置における液晶、光学フィルム、液晶配向方向の関係を示す図である。
【図８】ＴＦＴアレイ基板に対するラビング処理を示す図である。
【図９】画素における透過率分布のシミュレーション結果を示す図である。
【図１０】実施の形態の変形例に係る液晶表示パネルにおける画素の構成を示す断面図である。
【発明を実施するための形態】
【００１４】  以下、本発明の実施の形態について説明する。なお、以下の説明に用いる図面は模式的なものであり、構成要素の大きさ、形状等を正確に表しているとは限らない。また、図示の便宜のため、本発明に関連の薄い部位は省略または簡略化して示している。さらに、複数の図面に現れる要素には、同一符号を付してあるので、個々の図面で重複する説明は省略する。
【００１５】  図１は、本発明の実施の形態に係るＴＦＴアレイ基板１００の構成を示す平面図である。当該ＴＦＴアレイ基板１００は、フリンジフィールドスイッチング（fringe field switching：ＦＦＳ）方式の液晶表示パネルに用いられる。図示は省略するが、ＴＦＴアレイ基板１００に対向させて、カラーフィルタ等を備える対向基板を配置し、その間に液晶を挟持させることによって、液晶表示パネルが構成される。また、図示は省略するが、液晶表示パネルの前面側となる対向基板側の表面には、画像を表示するための表示画面が設けられ、更に、液晶表示パネルの背面側となるＴＦＴアレイ基板１００側の表面に対向するように、バックライトが配置される。液晶表示パネルとバックライトが、上記の表示画面の部分が開放された筺体内に収納されることによって、本発明の実施の形態に係る液晶表示装置が構成される。
【００１６】  図１のように、ＴＦＴアレイ基板１００上の領域は、画像を表示するための複数の画素１０が配置される表示領域１００ａと、表示領域１００ａの外側の額縁領域１００ｂとに分けられる。表示領域１００ａには、水平方向（Ｘ方向）に延在する複数の走査線１０１（ゲート線）と、垂直方向（Ｙ方向）に延在する複数のデータ線１０２（ソース線）とが、互いに交差するように配置されている。画素１０は、隣り合う２本の走査線１０１と隣り合う２本のデータ線１０２とで囲まれる領域のそれぞれに形成されるため、表示領域１００ａには、複数の画素１０がマトリクス状（アレイ状）に配列されることになる。
【００１７】  走査線１０１およびデータ線１０２は、額縁領域１００ｂへと延設され、額縁領域１００ｂに設けられた実装端子１０４に接続している。走査線１０１およびデータ線１０２を駆動するための各種の制御信号や、データ線１０２に供給する表示信号（画像データ）などは、実装端子１０４に接続されたプリント基板１０５およびＩＣチップ１０６から入力される。
【００１８】  本実施の形態のＴＦＴアレイ基板１００では、赤（Ｒ）、緑（Ｇ）、青（Ｂ）の３つの画素１０によって、画像の最小単位となる１つの絵素３０が構成される。図２は、絵素３０の構成を示す図である。図２のように、絵素３０を構成する各画素１０は、スイッチング素子であるＴＦＴ１１と、液晶を駆動する電界を発生する画素電極１２および共通電極１３と含んでいる。
【００１９】  ＴＦＴ１１は、走査線１０１とデータ線１０２との交差点近傍に配置されており、ＴＦＴ１１のゲートは走査線１０１に、ソースはデータ線１０２に、ドレインは画素電極１２に、それぞれ接続されている。共通電極１３は、絶縁膜を介して画素電極１２に対向して配置されており、一定の電位（共通電位）が供給される。本実施の形態では、画素電極１２は、下層側に配置される平板状の電極（第１電極）であり、共通電極１３は、上層側に配置され、スリット（開口部）を有する櫛歯状の電極（第２電極）である。
【００２０】  図２から分かるように、画素１０のそれぞれは、長手方向が水平方向（走査線１０１の延在方向）、短手方向が垂直方向（データ線１０２の延在方向）となった横長形状である。また、絵素３０を構成する３つの画素は、それぞれ異なる走査線１０１で駆動される（各画素１０のＴＦＴ１１のゲートが、それぞれ異なる走査線１０１に接続されている）。また、それら３つの画素には、同一のデータ線１０２から表示信号が供給される（各画素１０のＴＦＴ１１のソースが、同一のデータ線１０２に接続されている）。すなわち、当該ＴＦＴアレイ基板１００はトリプルゲート構造を有している。
【００２１】  また、本実施の形態では、共通電極１３の左側部分と右側部分とでスリットの延在方向を変えており、それによって画素１０をマルチドメイン（配向分割）化している。これにより、視野角方向に依存する色変化（カラーシフト）が抑えられ、視野角特性が改善される。また、画素電極１２は、共通電極１３のスリットが延びる方向に対応するように、左側部分と右側部分との境界で屈曲した「く」の字型の形状となっている。さらに、走査線１０１は、当該走査線１０１に隣接する各画素１０の画素電極１２の屈曲形状に対応するように（つまり、スリットの延在方向に対応するように）、ジグザグに屈曲しながら水平方向に延在している。
【００２２】  図３〜図５は、ＴＦＴアレイ基板１００の画素１０の構成を示す図である。図３は、画素１０の平面図、図４は図３のＡ−Ａ線に沿った断面図、図５は図３のＢ−Ｂ線に沿った断面図である。
【００２３】  ＴＦＴアレイ基板１００は、ガラス等の透明絶縁体からなる透明基板１を用いて形成されている。透明基板１上には、走査線１０１とＴＦＴ１１のゲート電極２とが、同じ導電膜を用いて形成されており、それらを覆うようにゲート絶縁膜３が形成されている。ゲート電極２は、走査線１０１の一部分により構成されている。すなわち、走査線１０１におけるＴＦＴ１１の形成領域の部分（半導体膜４の下方に位置する部分）がゲート電極２となっている。
【００２４】  ゲート絶縁膜３上には、ＴＦＴ１１の形成領域に半導体膜４が形成される。半導体膜４の上には、オーミックコンタクト膜５を介して、ＴＦＴ１１のソース電極６およびドレイン電極７が形成されている。オーミックコンタクト膜５は、ソース電極６とドレイン電極７との間の部分が除去されており、その部分に露出した半導体膜４がＴＦＴ１１のチャネル部となる。オーミックコンタクト膜５は、例えば、半導体膜４の表層部に不純物をイオン注入することによって形成できる。ゲート電極２と、ソース電極６およびドレイン電極７とは、ゲート絶縁膜３、半導体膜４およびオーミックコンタクト膜５を介して対向するように配置されており、それらによって、ＴＦＴ１１が構成される。
【００２５】  また、ゲート絶縁膜３の上には、データ線１０２が、ソース電極６およびドレイン電極７と同じ導電膜を用いて形成されている。ソース電極６は、データ線１０２の一部分によって構成されている。すなわち、データ線１０２におけるＴＦＴ１１の形成領域の部分（半導体膜４に乗り上げた部分）が、ソース電極６となっている。
【００２６】  また、ゲート絶縁膜３の上には、ＩＴＯ（Indium Tin Oxide）等の透明導電膜からなる画素電極１２も形成されている。画素電極１２の一部は、ドレイン電極７上に直接重なっており、それによってドレイン電極７と画素電極１２とが電気的に接続されている。
【００２７】  ソース電極６、ドレイン電極７、画素電極１２およびデータ線１０２を覆うように、保護膜８（絶縁膜）が形成されている。保護膜８は、例えば、酸化膜、窒化膜、又は有機樹脂膜等の絶縁体からなる単層膜、またはそれらの積層膜により構成することができる。
【００２８】  保護膜８の上には、ＩＴＯ等の透明導電膜からなる共通電極１３が設けられている。共通電極１３には、複数のスリット（開口部）が形成されており、各スリットの延在方向（長手方向）は、水平方向（画素電極１２の長手方向、あるいは、走査線１０１の延在方向）となっている。
【００２９】  ただし、本実施の形態では、スリットの延在方向を、共通電極１３における左側部分と右側部分とで異なる方向にして、画素１０をマルチドメイン化している。そのため、スリットの延在方向は、概ね水平方向であるが、完全には水平方向にはなっていない。また、共通電極１３における左側部分と右側部分とで、スリットの延在方向を線対称にしている。すなわち、左側部分と右側部分とで、スリットの水平方向に対する傾斜角度θを同じ大きさにしている（正負は逆）。スリットの傾斜角度θは４５度未満であり、本実施の形態では１５度とした。
【００３０】  また、屈曲形状の画素電極１２の各部分における水平方向に対する傾斜角度、ならびに、屈曲形状の走査線１０１の各部分における水平方向に対する傾斜角度も、共通電極１３のスリットの傾斜角度θに合わせて設定されている。
【００３１】  図６は、ＴＦＴアレイ基板１００を用いて構成される液晶表示パネルの断面構造を示している。ＴＦＴアレイ基板１００に対向するように対向基板２００が設けられ、その間に液晶１５０が設けられている。液晶１５０は、ＴＦＴアレイ基板１００上の共通電極１３と画素電極１２との間にフリンジ電界を発生させることにより駆動される。液晶１５０としては、誘電率Δεが正の値（例えば、＋３〜＋１５）であるポジ型のものを用いている。
【００３２】  ＴＦＴアレイ基板１００と対向基板２００との間の間隔（セルギャップ）は、例えば２〜５μｍ程度である。対向基板２００には、カラーフィルタ、ブラックマトリクス、配向膜等が設けられているが、図６では、それらのうちのブラックマトリクス２０１のみを図示している。ブラックマトリクス２０１は、画素１０の間の領域を覆うように配設され、隣接する画素１０の間での混色を防止している。
【００３３】  図７は、この液晶表示パネルに設けられる光学シート（偏光板と位相差フィルム）および液晶の光学設計（光軸構成）を示す図である。図７に示すように、液晶表示パネル（液晶１５０）のバックライト光が入射する側、すなわちＴＦＴアレイ基板１００側（以下「背面側」と称す）の表面に、偏光板５０１（第１の偏光板）および２軸位相差フィルム５０３が配設される。一方、液晶表示パネル（液晶１５０）における表示画面側、すなわち対向基板２００側（以下「前面側」と称す）の表面には、偏光板５０２（第２の偏光板）が配設される。液晶表示パネルの背面側において、２軸位相差フィルム５０３は、ＴＦＴアレイ基板１００と偏光板５０１との間に介在している。従って、液晶表示パネルの背面側に配置されるバックライトは、これら２軸位相差フィルム５０３と偏光板５０１を介して、液晶表示パネルのＴＦＴアレイ基板１００側の表面に対向して配置されることになる。
【００３４】  液晶１５０の配向方向は、ゲート電極２の延在方向、即ち水平方向（０°方向と定義する）に設定される。液晶１５０の初期配向を決定する配向処理をラビング処理で行う場合、ＴＦＴアレイ基板１００および対向基板２００の表面（液晶１５０に対向する面）に配向膜を塗布し、水平方向にラビング処理を施せばよい。
【００３５】  偏光板５０１，５０２の吸収軸については、偏光サングラスを通しても表示を視認できるように、液晶表示パネルの前面側の偏光板５０２の吸収軸を０°方向（水平方向）にし、背面側の偏光板５０１の吸収軸を９０°方向（垂直方向）にしている。さらに、斜め方向の光漏れを低減させるために、遅相軸を０°方向（水平方向）とする２軸位相差フィルム５０３を液晶表示パネルの背面側に配置している。本実施の形態では、２軸位相差フィルム５０３は、物性値が、（ｎｙ−ｎｘ）＝２７０ｎｍ、且つ、（ｎｙ−ｎｘ）／（ｎｙ−ｎｚ）＝０．５のものを使用した（ｎｙはフィルム面内の遅相軸方向の屈折率、ｎｘは遅相軸に直交するフィルム面内の屈折率、ｎｚはフィルム厚み方向の屈折率）。
【００３６】  このように、本実施の形態に係る液晶表示パネルでは、広視野角と高開口率を両立できるＦＦＳ型の液晶表示装置において、トリプルゲート構造（図３）を採用することにより、データ線本数およびソース駆動ＩＣの数を減らし、低コスト化を図っている。また、ポジ型の液晶１５０を用いているため、液晶１５０の配向方向を水平方向（走査線１０１の延在方向）にすることで液晶１５０を駆動できる。また、背面側の偏光板５０１の吸収軸を、液晶１５０の配向方向に垂直にし、前面側の偏光板５０２の吸収軸を、液晶１５０の配向方向に平行にしたことにより、偏光サングラスを通しても表示を視認できる。
【００３７】  また、遅相軸が液晶１５０の配向方向に水平な２軸位相差フィルム５０３を、背面側の偏光板５０１とＴＦＴアレイ基板１００との間に配置して、図７の光軸構成を実現することにより、視野角特性が向上する。図７の光軸構成によって視野角特性が良好になるのは、特に、偏光板５０１を通過した偏光を、そのまま２軸位相差フィルム５０３に入射させているからである。この２軸位相差フィルム５０３の位置（偏光を透過させる順番）は重要である。例えば、２軸位相差フィルム５０３を液晶表示パネルの前面側に配置すると、偏光板５０１を通過した偏光が、液晶１５０層や対向基板２００のカラーフィルタなどを透過してから、２軸位相差フィルム５０３を透過することになる。この順番では、液晶１５０やカラーフィルタによる散乱などで偏光解消が起きてしまい、２軸位相差フィルム５０３に理想的な偏光を透過させることができず、所望の光学補償効果を得ることができなくなる。
【００３８】  図６に戻り、本実施の形態の液晶表示パネルでは、走査線１０１の上方を共通電極１３の一部が覆っている。それにより、走査線１０１からの電界を遮蔽することができる。走査線１０１上には、表面を平坦化するための厚い有機絶縁膜（平坦化膜）などが形成されていない。そのため、有機絶縁膜を使用する場合に比べて、コストの上昇は抑えられるが、共通電極１３の表面に、走査線１０１の厚さに起因する段差部１３ａが形成される。
【００３９】  なお、図７では２軸位相差フィルム５０３を用いた例を示したが、２軸位相差フィルム以外の位相差フィルムを用いてもよい。例えば、２軸位相差フィルム５０３に代えて、２枚の１軸位相差フィルムを積層してなる位相差フィルムを用いてもよい。この場合も、位相差フィルムを設ける位置は、背面側の偏光板５０１とＴＦＴアレイ基板１００との間にする。また、２枚の１軸位相差フィルムのうち、一方の１軸位相差フィルムは、フィルム面内の水平方向（Ｘ方向）と垂直方向（Ｙ方向）とに位相差を有するものとし、その遅相軸方向を水平方向に設定する。さらに、他方の１軸位相差フィルムは、フィルムの厚さ方向（Ｚ方向）に位相差を有し、フィルム面内には位相差がないものを用いるとよい。そのような位相差フィルムを用いた場合にも、図７の構成と同様に、偏光サングラスを通しても表示を視認でき、視野角特性が向上するという効果を得ることができる。
【００４０】  一方、対向基板２００のブラックマトリクス２０１は、走査線１０１を覆うように、走査線１０１の上方に（平面視で走査線１０１と重畳する位置に）配設されている。それにより、隣接する画素１０の間での混色が防止される。さらに、走査線１０１を覆うブラックマトリクス２０１は、共通電極１３の段差部１３ａも覆うように、走査線１０１よりも幅が広く形成されている。すなわち、ブラックマトリクス２０１は、走査線１０１の端部よりも突出して庇状になっている。本実施の形態では、走査線１０１の端部からのブラックマトリクス２０１の突出量Ｄ１を２．０μｍとした。なお、図６では、ブラックマトリクス２０１における走査線１０１から右側（図３における上側）へ突出する量と、左側（図３における下側）へ突出する量とを共に「Ｄ１」で表したが、両者は互いに異なる値でもよい。ブラックマトリクス２０１を平面図は省略するが、ブラックマトリクス２０１は、走査線１０１の端部から一定の突出量Ｄ１だけ突出するように形成されることから、走査線１０１の延在方向（水平方向）には、走査線１０１と同様にジグザグに屈曲しながら延在するように設けられる。
【００４１】  図２および図３に示したように、本実施の形態では、走査線１０１は水平方向に一直線状に延びているのではなく、ジグザグに屈曲しながら水平方向に延びている。そのため、図８のように、走査線１０１の表面に配向膜１５を塗布して水平方向のラビング処理を行う際、ラビング方向と走査線１０１の延在方向とが平行にならず、ラビングローラ３００が走査線１０１を乗り越えるように動く。そのような場合、走査線１０１上および段差部１３ａの周囲２μｍ程度の範囲で配向不良が生じることを、本発明者は実験的に確認している。従って、ブラックマトリクス２０１が段差部１３ａを覆うことで、配向不良による光漏れを遮光でき、黒輝度の上昇が防止される。その結果、表示画像のコントラストが向上する。なお、図８では、図５と同様の断面図を用いているため、ラビングローラ３００の動きが走査線１０１に垂直のように見えるかもしれないが、ラビング方向はあくまで走査線１０１の延在方向に平行な向き（水平方向）である。
【００４２】  ただし、ブラックマトリクス２０１の走査線１０１からの突出量Ｄ１が大きすぎると、開口率が低下して白輝度が小さくなり、それが原因で表示画像のコントラストが低下することが懸念される。そこで、本発明者は、白輝度の低下を最小限に抑えることができるブラックマトリクス２０１の突出量Ｄ１について、さらに検討を行った。
【００４３】  ＦＦＳ型液晶表示装置では、画素電極１２と共通電極１３との間で生じるフリンジ電界によって液晶１５０を駆動することから、図９のように共通電極１３のスリットの端部の透過率が最も高くなる。本発明者は、このことをシミュレーション（Shintech社：LCD Master）により確認した。よって、ブラックマトリクス２０１が、共通電極１３のスリットの端部を覆わないようにするとよい。それにより、白輝度が改善され、より効果的にコントラストの向上を図ることができる。本実施の形態では、ブラックマトリクス２０１の端部と、走査線１０１から最も近いスリットの端部との距離Ｄ２を、２．０μｍ確保した。
【００４４】  なお、図７に示した光学設計による効果は、ブラックマトリクス２０１の配置や共通電極１３の段差部１３ａの有無に関わらず得られる。よって、例えば、走査線１０１上に有機樹脂膜を設けて共通電極１３の表面に段差部１３ａが形成されない構成にしても、図７の光学設計は適用可能であり、同様の効果が得られる。
【００４５】  上に示した実施の形態では、画素１０において、下層側に配置される平板状の電極（第１電極）を画素電極１２とし、上層側に配置される櫛歯状の電極（第２電極）を共通電極１３としたが、これを逆にしてもよい。即ち、図１０に示すように、共通電極１３を、保護膜８の下に配置される平板状の電極（第１電極）にし、画素電極１２を、保護膜８の上に配置される櫛歯状の電極（第２電極）にしてもよい。ただし、ＴＦＴ１１のドレイン電極７と画素電極１２とを接続するためのコンタクトホールを、保護膜８に設ける必要がある。
【００４６】  また、図１０の構成では、走査線１０１の厚さに起因して共通電極１３に生じる段差部１３ａは、保護膜８によって覆われるが、段差部１３ａに起因する段差が保護膜８の表面に形成されると、その部分で配向不良が生じる恐れがある。そのため、図１０の構成においても、ブラックマトリクス２０１が共通電極１３の段差部１３ａを覆うことで、配向不良による光漏れによるコントラスト低下を防止できる効果が得られる。
【００４７】  なお、本発明は、その発明の範囲内において、実施の形態を適宜、変形、省略することが可能である。
【符号の説明】
【００４８】  １００  ＴＦＴアレイ基板、１００ａ  表示領域、１００ｂ  額縁領域、１０１  走査線、１０２  データ線、１０４  実装端子、１０５  プリント基板、１０６  ＩＣチップ、２００  対向基板、２０１  ブラックマトリクス、１  透明基板、２  ゲート電極、３  ゲート絶縁膜、４  半導体膜、５  オーミックコンタクト膜、６  ソース電極、７  ドレイン電極、８  保護膜、１０  画素、１１  ＴＦＴ、１２  画素電極、１３  共通電極、１３ａ  段差部、１５  配向膜、３０  絵素、１５０  液晶、３００  ラビングローラ、５０１，５０２  偏光板、５０３  ２軸位相差フィルム。
【図１】
2017163718.tif 000003
【図２】
2017163718.tif 000004
【図３】
2017163718.tif 000005
【図４】
2017163718.tif 000006
【図５】
2017163718.tif 000007
【図６】
2017163718.tif 000008
【図７】
2017163718.tif 000009
【図８】
2017163718.tif 000010
【図９】
2017163718.tif 000011
【図１０】
2017163718.tif 000012
【国際調査報告】
2017163718.tif 000013
2017163718.tif 000014
2017163718.tif 000015
2017163718.tif 000016